(57)【特許請求の範囲】
【請求項１】
セパレート材上に接合された縫合針を取り付ける縫合針カウンターであって、
前記縫合針カウンターは少なくとも５角形以上の角柱体を有し、或いは円柱体であるカウンター本体がセパレート材上に接着され、
前記カウンター本体の表面には、通し番号が順次設けられていると共に、表面端部には使用針数を確認する数字が印刷され、
前記セパレート材の剥離面には、前記カウンター本体と対応する同通し番号が印刷されていることを特徴とする縫合針カウンター。
【請求項２】
前記セパレート材が透明素材であり、裏面側からも通し番号が視認することができる請求項１の縫合針カウンター。
【発明の詳細な説明】
【技術分野】
【０００１】
本発明は、外科手術等で医師が使用した縫合針を廃棄する際に使用する縫合針カウンターに関し、更に詳しくは、セパレート材からカウンター本体を剥離しやすいように、セパレーター上に少なくとも５角形以上の角柱体を有し、或いは円柱体のカウンター本体同士の間に空間部を有し、更に該本体表面に通し番号並びに表面端部に複数の数字を印刷すると共に、更に、セパレート材表面のカウンター本体接着部にカウンター本体と対応する同数字を印刷してある縫合針カウンターを提供するものである。
【背景技術】
【０００２】
従来、外科手術中に医師が使用した使用済み縫合針は、担当医師から直接担当看護師にわたされ、この使用済み縫合針を縫合針カウンターに取り付けて、使用済み縫合針の数量を正確に把握出来るようにするもので、その結果、患者の体内に残すような事故を未然に防止している。
【０００３】
このような縫合針カウンターとしては、特開２００１−２２４６０３号「手術用縫合針カウンター」に開示されるように、「使用済みの手術用縫合針をカウントする際に用いるためのシート又は板であり、カウントするための数字が記載されている面に手術用縫合針の形状に合った弧状の枠又は線が表示されている手術用縫合針カウンター」が知られている。
【０００４】
また特開２００３−１２６０９７号「手術用縫合針カウンター」に開示されるように、「使用済みの手術用縫合針の本数をカウントし、廃棄するためのシート又は容器であり、針をカウントする部分が個別に隆起した形状をもつことを特徴とする手術用縫合針カウンター」が知られている。      
【０００５】
更に意匠第１１８９１９６号「縫合針廃棄具」は、薄いセパレート材の上にプレカットされたブロック状のスポンジが縦横に整列し、スポンジの裏面は粘着剤が塗布されてセパレーターに接着する縫合針廃棄具を開示している。
【特許文献１】特開２００１−２２４６０３号
【特許文献２】特開２００３−１２６０９７号
【特許文献３】意匠第１１８９１９６号
【発明の開示】
【発明が解決しようとする課題】
【０００６】
しかしながら上記特開２００１−２２４６０３号「手術用縫合針カウンター」や特開２００３−１２６０９７号「手術用縫合針カウンター」に開示されるカウンターは容器そのものに使用済み縫合針を固定するタイプのものであり、使用済み縫合針を廃棄する場合には容器と共に廃棄処分をしなければならないためにコストが高くつくという問題があった。
【０００７】
上記意匠第１１８９１９６号「縫合針廃棄具」は、針付き縫合糸のパッケージ上に貼付し、そのパッケージから取り出した使用済み縫合針を刺し、準備した数量と廃棄する数量とを併せて廃棄するための分割式スポンジシートであるため、前記容器体のものよりは安価に製造出来るという効果を有するが、使用済み縫合針の数量が把握しにくいという課題があった。
【０００８】
更に剥離したブロック状スポンジに使用済み縫合針を何個刺したか、ブロック自体を何個使用したかの計測が直ぐに出来ず、手術後において時間を掛けて確認作業をしなければならないという課題を有していた。      
【課題を解決するための手段】
【０００９】
本発明者等は、係る課題を解決するために鋭意検討したところ、分割タイプのスポンジやゴム等からなるカウンター本体を用い、該カウンター本体及びセパレート材表面に対応する数字を印刷すると共に、少なくとも５角形以上の角柱体、或いは円柱体の柱辺を有効利用して印刷した数字の箇所に使用した縫合針を刺し付けることによって、一目瞭然に使用済み縫合針の数量を確認可能な新規な縫合針カウンターを提供することができた。
【００１０】
すなわち本発明の第一は、セパレート材上に接合された縫合針を取り付ける縫合針カウンターであって、
前記縫合針カウンターは少なくとも５角形以上の角柱体を有し、或いは円柱体であるカウンター本体がセパレート材上に接着され、
前記カウンター本体の表面には、通し番号が順次設けられていると共に、表面端部には使用針数を確認する数字が印刷され、前記セパレート材の剥離面には、前記カウンター本体と対応する同通し番号が印刷されていることを特徴とする縫合針カウンターである。
本発明の第二は、前記セパレート材が透明素材であり、裏面側からも通し番号が視認することができる第一の発明の縫合針カウンターである。
【発明の効果】
【００１１】
本発明の縫合針カウンターは、セパレート材上及びカウンター本体表面上に対応する数字が順次印刷されているために、カウンター本体を剥離する毎にカウンター本体の使用数を目視で確認できるという効果を有している。
【００１２】
またカウンター本体の辺同士の間に空間部を設けてあるために、カウンター本体を剥離し易いという効果を有し、これによって剥離時にカウンター本体を従来のように無理矢理剥離することなく全てのカウンター本体を容易に使用できるようになった。
【００１３】
本発明の大きな効果は、カウンター本体の表面周縁部に複数の数字を別途印刷してあり、この箇所に使用済み縫合針を取り付けるようになっているので、使用済みカウンター本体とその周縁部の数字を目視で確認しながら、使用済み縫合針の数量を瞬時に計数出来ることにある。
【００１４】
本発明の縫合針カウンターのセパレート材には、カウンター本体の表面上の通し番号に相応する通し番号が付されているので、これによって、カウンター本体の使用個数や紛失した個数が確認することができ、同時に縫合針数の確認することが容易である。またセパレート材の素材として、透明なフィルム素材を用いているために従来の紙素材からなる剥離紙のように紙粉が付着することなく、紙粉の発生を防止し手術室のクリーン度に貢献するものであるとともに、裏側からも通し番号とカウンター本体の個数が確認できる効果がある。
【発明を実施するための最良の形態】
【００１５】
以下に図面を参照に本発明の詳細を説明するが、本発明の範囲はこれらに限定されるものではない。
【実施例１】
【００１６】
図１は、一例として縦１０６．５ｍｍ、横６６．５ｍｍのサイズのフィルム製セパレート材１上に、縦２０．０ｍｍ、横２０．０ｍｍ、高さ１０．０ｍｍの八角形のスポンジ製のカウンター本体２を、縦列５個、横列３個のカウンター本体が合計１５個接着させた状態を示す斜視図である。このカウンター本体２の表面には、前記図１及び図２の平面図に示されるように通し番号として１から１５迄の数字が印刷されているほか、八角形の角柱辺中央部に同様に１から８迄の数字が印刷されている。
【００１７】
手術時には、このカウンター本体１から順に糸付き縫合針のパッケージ（図示せず）内の余白部分に貼り付け、使用された縫合針を順次カウンター本体１の角辺１、角辺２の数字の箇所に取り付けていき、角辺８を過ぎたら次のカウンター本体２を剥離し同様に針付き縫合糸のパッケージ（図示せず）の余白部分に貼り付けて、同様な処理を行う。
【００１８】
この場合、図１に示すカウンター本体１及びカウンター本体２は、図５ａ，ｂに示すように透明なフィルム製セパレーター１から剥離されるが、この場合、フィルム製セパレート材１の表面には、図３に示されるようにスポンジ素材からなるカウンター本体１及びカウンター本体２の対応位置に、数字１及び２が印刷されているように全てのカウンター本体と同数の数字が示されている。
【００１９】
別な対応の仕方として、パッケージ（図示せず）１個に対して図４に示すように１個の
カウンター本体１を貼り付け、パッケージ内の縫合針が例えば５個の場合には、角柱辺１から角柱辺５の数字の箇所に取り付け、使用した縫合針数が容易に計数できると共に、使用したパッケージ数と貼り合わせたカウンター本体数、セパレート材に印刷されている数字とが同一数となることから、容易に使用したパッケージ数と貼り付けたカウンター本体数を視認することができる。
【００２０】
このことによって、手術中の多忙な処理の中でも、使用済み縫合針数の計測が目視で確認できるために、従来のように使用済み縫合針を患者の体内に残すという事故を簡単に防止できるようになった。
【００２１】
なお本実施例１では、図２に示すようにセパレート材１の四隅の角度面に緩やかなＲを付けており、実際の使用時には９０度角のものよりは角が手先に刺さることなく安全に用いることができるようにしている。
【実施例２】
【００２２】
図６は、本発明の別な形態を示す円柱形の縫合針カウンタ３ーを示す斜視図であるが、一例として縦１１８．５ｍｍ、横７２．５ｍｍのサイズのフィルム製セパレート材１上に、直径２０．０ｍｍ、高さ１０．０ｍｍの円柱形のスポンジ製のカウンター本体３が同様に１５個、フィルム製セパレーター１に接着されている。なお、この場合も、フィルム製セパレート材１表面にはカウンター本体３と対応する位置に同じ数字が印刷されている。
【００２３】
図７及び図８は、図６に示す円柱形の縫合針カウンター３を示す平面図であるが、本発明としては中央部に印刷した通し数字の他に、円形端部に８カ所の数字を設けたタイプと設けないタイプを示すが、使用に際してはどちらでも対応可能である。
【００２４】
図９ａ．ｂは、カウンター本体（円柱形）３を剥離した状態を示す平面図と側面図であるが、上記八角形形状のカウンター本体２と同様に表面上に１から８の数字を印刷してあり、この数字の箇所を中心に使用済みの縫合針を取り付けるようにしている。
【００２５】
なお、本発明においてカウンター本体の素材としてスポンジ製を例示したが、セパレート材１上で接着可能で、且つ、使用済み縫合針を引っ掛けやすいゴムやその他の素材であっても構わない。
【図面の簡単な説明】
【００２６】
【図１】本発明の縫合針カウンターを示す斜視図である。
【図２】本発明の縫合針カウンターを示す平面図である。
【図３】図１におけるカウンター本体１及び２を剥離した後を示す平面図である。
【図４】図１におけるカウンター本体１を剥離した後を示す平面図である。
【図５ａ】図１における剥離されたカウンター本体を示す平面図と側面図である。
【図５ｂ】図１における剥離されたカウンター本体を示す平面図と側面図である。
【図６】本発明の縫合針カウンターの別な形態を示す斜視図である。
【図７】本発明の縫合針カウンターの別な形態を示す平面図である。
【図８】本発明の縫合針カウンターの別な形態を示す平面図である。
【図９ａ】図６における剥離されたカウンター本体自体を示す平面図と側面図である。
【図９ｂ】図６における剥離されたカウンター本体自体を示す平面図と側面図である。
【符号の説明】
【００２７】
１・・・フィルム製セパレート材
２・・・カウンター本体（八角柱形）
３・・・カウンター本体（円柱形）
４・・・角柱辺
５・・・円柱辺
【図１】
0003970265.tif 000002
【図２】
0003970265.tif 000003
【図３】
0003970265.tif 000004
【図４】
0003970265.tif 000005
【図５ａ】
0003970265.tif 000006
【図５ｂ】
0003970265.tif 000007
【図６】
0003970265.tif 000008
【図７】
0003970265.tif 000009
【図８】
0003970265.tif 000010
【図９ａ】
0003970265.tif 000011
【図９ｂ】
0003970265.tif 000012